(57)【要約】      （修正有）【課題】導風板を有するＰＴＣ発熱モジュールであって、少なくとも一つのＰＴＣ発熱体と各ＰＴＣ発熱体の両側に設けられた一組の放熱器を含み、一側の放熱器の風吹出し側に、放熱片から吹出された熱風を外側に誘導する導風板を設けることを特徴とするＰＴＣ発熱モジュールを提供する。【解決手段】ＰＴＣ発熱体（１０）と各ＰＴＣ発熱体の両側に設けられた一組の放熱器（２０）を含み、ＰＴＣ発熱体（１０）の一側の放熱器（２０）の風吹出し側に、放熱片から吹出された熱風を外側に誘導する導風板（３０）を設ける。導風板（３０）は、放熱器（２０）と一緒になる一体式の構造又は、独立して放熱器の前に設けられる分離式の構造でもよい。導風板（３０）の一体式の構造は、放熱器（２０）の側板（２２）が風吹出し側から放熱片の前方に延出して、放熱器の外側に折り曲げることによって形成される。また、導風板（３０）の分離式の構造は、導風板（３０）を放熱器（２０）より分離して、放熱器の前にある熱風機の風噴出し口の箇所に設ける。【選択図】図４Ａ
0003128289.tif 000002
【実用新案登録請求の範囲】
【請求項１】
少なくとも一つのPTC発熱体（１０）と各PTC発熱体の両側に設けられた一組の放熱器（２０）を含み、また、上記PTC発熱体（１０）の少なくとも一側の放熱器（２０）の風吹出し側に、放熱片から吹き出された熱風を外側に誘導する導風板（３０）を少なくとも一つ設けることを特徴とする導風板（３０）を有するPCT発熱モジュール。
【請求項２】
請求項１記載のPTC発熱モジュールにおいて、導風板（３０）は、放熱器（２０）と一緒に設置される一体式の構造でよく、放熱器の前部に設置される分離の構造でもよいことを特徴とするPTC発熱モジュール。
【請求項３】
請求項２記載のPTC発熱モジュールにおいて、前記導風板（３０）の一体式構造は、放熱器（２０）の側板（２２）が風吹出し側から放熱片の前方まで延出して、かつ放熱器の外側に折り曲げることによって形成されることを特徴するPTC発熱モジュール。
【請求項４】
請求項２記載のPTC発熱モジュールにおいて、前記導風板（３０）の分離式構造は、導風板（３０）を放熱器（２０）から分離して、放熱器（２０）の前部の熱風機の風吹出し口の箇所に設けることによって形成されることを特徴とするPTC発熱モジュール。
【請求項５】
請求項４記載のPTC発熱モジュールにおいて、導風板（３０）は、耐熱性材料によって作られた熱風機の風吹出し口の枠の上に設けられることを特徴とするPTC発熱モジュール。
【請求項６】
請求項３又は４記載のPTC発熱モジュールにおいて、導風板（３０）と、その傾斜する側の放熱器（２０）の外表面の間のアングルα、及び、導風板（３０）と、放熱器の外表面と平行する平面の間のアングルαは、鋭角であることを特徴とするPTC発熱モジュール。
【請求項７】
請求項３又は４記載のPTC発熱モジュールにおいて、導風板（３０）は、平板形、V形、U形またはアーチ形などの板状体であることを特徴するPTC発熱モジュール。
【請求項８】
請求項１記載のPTC発熱モジュールにおいて、放熱器（２０）は、前後貫通形の波紋状表面の放熱器であることを特徴するPTC発熱モジュール。
【請求項９】
請求項１記載のPTC発熱モジュールにおいて、PTC発熱体（１０）は、棒状物又は板状体であって、一組の放熱器（２０）を構成する２個の放熱器部分（２１）の間に固定されて、設けられることを特徴とするPTC発熱モジュール。
【請求項１０】
請求項１記載のPTC発熱モジュールにおいて、複数組の放熱器（２０）は、複数の側板（２２）を通じて連接して一体になり、各組の放熱器の２個の放熱器部分（２１）の間にそれぞれ一つのPTC発熱体（１０）が設けられることを特徴とするPTC発熱モジュール。
【考案の詳細な説明】
【技術領域】
【０００１】
本考案は、PTC発熱部品、特に熱風機に用いて、熱風機の熱風がカバーする範囲を拡大できる、導風板を有するPTC発熱モジュールに関する。
【０００２】
従来の技術
熱風機等のような全ての小型の家庭用電熱製品には、電気加熱装置が設けられている。伝統的な電気加熱部品は、抵抗線、電気加熱板などを含む。しかし、このような電気加熱部品自体は温度調整の機能を有しないため、使用寿命が短く、故障率も高く、安全の面に問題がある。これに対して、PTC（正温度係数）を示す性質を有する電熱部品は、使用が便利且つ安全で、省電力などの長所を有するので、伝統的な発熱部品に代替し、電力施設、電子設備および車の業界などにおいて広汎に使われている。こうしたPTC電熱部品は、正温度係数の半導体の機能を有するセラミックである。
【０００３】
PTC電熱部品の場合、転換温度の前では、抵抗は温度の上昇によって減少する。また、転換温度から設定最高温度までの間に、抵抗は温度の上昇によって著しく増大する。そして、PTC効果が形成される。こうしたPTC反応を利用し、さまざまな温度係数に従って、さまざまな用途のPTC感熱式のセラミックを作ることができる。
【０００４】
従来の熱風機上のPTC電熱部品は、放熱片と組み合わせて使われるものである。その構造については、図面1に示したとおりに、PTC電熱部品1の両側に金属の放熱片２が設けられており、PTC電熱部品から生じた熱量が放熱片を通して外に輻射することにより、電熱部品の後部に設けられたファン３によって送られた空気を加熱して、その後熱風が放熱片を通して前に吹出すということである。図面１よりわかるように、伝統的な熱風機の風吹出しの面積がその発熱モジュールと同じ幅のもの（図面1中の幅A）であって、その熱風のカバーする面積が小さい。この問題を解決するため、熱風機上にこれを振り動かす構造を付加し、熱風の吹出し口を移動させることによって加熱面積を拡大するという方法がある。また、図面2に示したように、複数の独立したPTC発熱モジュール1を用い、且つPTC発熱モジュールとファンの間に単一の導風板４を設け、即ち、PTC発熱モジュールの後に単一の導風板を設けて、導風板でファンの風向を変更させる方法もある。後者の方法は、比較的複雑で、製品の体積が増大し、加工が困難になり、かつ加工コストも高くなる。
【０００５】
考案の内容
本考案は、上述の問題を解決するため、導風板とPTC発熱モジュールを含む一体式の構造を有しており、熱風のカバーする面積が大きく、構造が簡単で、組立ても容易、且つ生産コストが低い、導風板を有するPTC発熱モジュールを提供する。
【０００６】
上記目的を実現するため、本考案は、導風板を有するPTC発熱モジュールであって、当該モジュールは、少なくとも一つのPTC発熱体と各PTC発熱体の両側に設けられた一組の放熱器を含み、また、上記PTC発熱体の少なくとも一側の放熱器の風吹出し側に、放熱片から吹出された熱風を外側に誘導する少なくとも一つの導風板を設けることを特徴とするPTC発熱モジュールを与える。
【０００７】
導風板は、放熱器と一緒に設置される一体式の構造でもよく、放熱器の前部に設置される分離の構造でもよい。
【０００８】
導風板の一体式構造は、放熱器の側板が風吹出し側から放熱片の前方まで延出し、かつ放熱器の外側に折り曲げることによって形成されるものである。
【０００９】
導風板の分離式構造は、導風板を放熱器から分離して、放熱器の前部の熱風機の風吹出し口の箇所に設けることによって形成されるものである。具体的にいえば、導風板は、耐熱性材料によって作られた熱風機の風吹出し口の枠の上に設けられる。
【００１０】
導風板と、その傾斜する側の放熱器の外表面の間のアングルα、即ち、導風板と、放熱器の外表面と平行する平面の間のアングルαは、鋭角である。
【００１１】
導風板は、平板形、V形、U形またはアーチ形の板状体である。
【００１２】
放熱器は、前後貫通形の波紋状表面の放熱器である。
【００１３】
PTC発熱体は、棒状物又は板状体であって、一組の放熱器を構成する２個の放熱器部分（２１）の間に固定される。
【００１４】
複数組の放熱器は、複数の側板を通じて連接して一体になり、各組の放熱器の２個の放熱器部分の間にそれぞれ一つのPTC発熱体が設けられる。
【００１５】
本考案は、熱風機の熱風のカバーする面積が小さいという問題、及び、その熱風のカバーする面積を拡大すると、構成が複雑になり、製品の体積が大きくなり、且つコストも高くなるという問題を有効に解決するものである。即ち、導風板とPTC発熱モジュールとを一体的に設計することによって、熱風のカバーする面積を大きくし、構造を簡単にし、加工と組立ても容易になり、且つ生産コストを低下させる。
【００１６】
具体的な実施例
以下の各実施例は、本考案をさらに詳細に説明するものであり、本考案にいかなる制限を加えるものでもない。
【００１７】
本考案の導風板を有するPTC発熱モジュールは、一つのPTC発熱体１０、一組の放熱器２０及び導風板３０でも構成できるし、また、多数のPTC発熱体１０、多数の放熱器２０及び導風板３０でも構成できる。その放熱器２０及び導風板３０は、一緒になる一体式の構造でもできるし、また、互いに独立する分離式の構造でもできる。以下、各実施例をもって、さらに説明する。
【００１８】
実施例１
図面３は、一組の放熱器上に導風板を設ける実施例を示すものである。一組の放熱器は、２個の放熱器部分によって構成され、それぞれの放熱器部分２１は、二つの波紋状片２１１と二つの側板22によって構成される。
【００１９】
上記波紋状片は、一枚のアルミ合金の板を押し曲げることによって形成されるものである。二つの波紋状片の両側をそれぞれの側板２２に溶接し固定しており、波紋と波紋の間にそれぞれの断面がほぼ三角形の前後貫通の通風路を形成する。それらは熱風の通過に用いられるものである。２個の放熱器部分２１の間にPTC発熱体10を設けており、当該PTC発熱体は長細い形状であり、市場で購入できる。また、普通のPTC発熱体の長さが比較的短いので、２個の放熱器部分２１の間に多数のPTC放熱片を設けることができる。PTC放熱片と２個の放熱器部分２１が向き合う側の両側板22とを溶接し固定しており、PTC放熱片の端部に通常の方法をもって配線端子を設けることができる。
【００２０】
本考案の要点は、以下のとおりである。即ち、放熱器２０の風吹出し側にそれと一体になる導風板３０を設け、一組の放熱器を用いる場合、導風板３０をPTC発熱体１０の一側又は両側に設けることができ、且つ導風板３０の形状については制限がない。即ち、その形状は、平板形、V形、U形、アーチ形その他の板状体の何れの一つでもよい。加工と組立てを便利にするため、なるべく導風板と放熱器２０を一体化にするほうがよい。具体的にいえば、導風板３０は、放熱器２０の側板２２が風吹出し側から放熱片の前方まで延出して、かつ放熱器の外側に折り曲げることによって形成される。それは一枚のアルミ板を一回で加工して成型させることができる。図面3Bに示したように、導風板３０と、その傾斜する側の放熱器２０の外表面の間のアングルαが、鋭角であって、その角度、すなわち導風板３０の傾斜角度は設計と使用の必要によって調整と変更することができる。導風板３０を通じて、PTC発熱モジュールの風吹出し側に一つ又は二つの外向き拡開した風誘導面を形成することができる。さらに、この風誘導面を通じて、発熱モジュールによって加熱され且つファンによって吹出された熱風を風吹出し口の両側に導くことができ、これによって熱風機の熱風のカバーする面積を大幅に増大する。上記の原理と効果について、図面6に示すように、その風吹出し口の幅Bは図面1中の風吹き出し口の幅Aよりはるかに大きいのである。また、本考案の原理に基づき、一体式の導風板３０を実現する形式は多種多様である。図面３A乃至３Fに、幾つかの実施例を示している。具体的にいえば、図面３Aと図面３Bは、２個の放熱器部分２１の間におけるPTC発熱体１０の一側の側板２２上に平板形の導風板を設けたものを示す。これにより、一部の熱風を一側に導くことができる。図面３Cと図面３Dは、２個の放熱器部分２１の二つの外側板２２上にそれぞれ平板形の導風板を設けて、ラッパ状の風誘導面を形成するものを示す。そして、図面３Eは、１個の放熱器部分２１の二つの側板２２上にそれぞれ平板形の導風板を設けるものを示す。最後に、図面３Fは、２個の放熱器部分２１の間におけるPTC発熱体１０の両側の側板２２上にそれぞれ平板形の導風板を設けて、V形の風誘導面を形成するものを示す。
【００２１】
実施例２
図面４は、複数組の放熱器の上に導風板を設ける実施例を示す。その基本構造について、実施例１と異なることは、PTC発熱モジュールが複数組の放熱器２０、複数のPTC発熱体１０及び導風板３０によって構成されるところである。その中に、図面４Aは、二つの放熱器２０間の側板２２上に平板形の導風板３０を設けるものを示す。図面４Bは、三つの放熱器２０の真ん中にある一つの放熱器の両側板２２上にそれぞれ平板形の導風板３０を設けるものを示す。そして、図面４Cは、二つの放熱器２０間の側板２２上にV形の導風板３０を設けるものを示す。最後に、図面４Dは、三つの放熱器２０の真ん中にある一つの放熱器の両外側板２２の上にそれぞれV形の導風板３０を設けるものを示す。
【００２２】
実施例３
図面５は、放熱器２０と導風板３０とをそれぞれ独立して設置する分離式の構造である。その基本構造について、実施例１、実施例２と異なることは、導風板３０を放熱器２０から分離させて、放熱器２０の前に設けるところである。図面５A乃至図面５Cに示すように、導風板３０を放熱器２０の前にある熱風機の風吹出し口のところに設けている。本実施例において、導風板３０が、熱風機の風吹出し口の枠４０の上に設けられており、それを超音波溶接で枠４０に固定することができ、また、プラスチックモールディングの方法でそれと枠４０とを一体化することもできる。枠４０は、四つの板が囲んで形成したラッパ形の枠であって、その外向き拡開の形状と導風板とによって熱風を熱風機の外側に拡散させることができる。また、高温を受けることがあるので、耐高温性の工業用のプラスチックをもってそれを作って、熱風機の風吹出し口の箇所にねじで固定させることもできる。図面５A乃至５Cにおいて、図面５Aは、単一組の放熱器２０の前にある熱風機の風吹出し口の枠４０の中央にV形の導風板３０を設けるものを示す。図面５Bは、複数組の放熱器２０の前にある熱風機の風吹出し口の枠４０の中央にV形の導風板３０を設けるものを示す。また、図面５Cは、複数組の放熱器２０の前にある熱風機の風吹出し口の枠４０の内部に二つの平板形の導風板３０を設けるものを示す。
【００２３】
以上、各実施例をもって本考案を説明したが、本考案の範囲について上記各実施例によって制限されるものではない。本考案の基本思想の範囲内で、上記各技術的特徴は、同技術分野の一般技術者が知っている類似又は均等のものをもって置換することができる。
【図面の簡単な説明】
【００２４】
【図１】図１は、従来のPTC電熱装置の熱風のカバーする面積に関する概念図。
【図２】図２は、独立の導風板を有する従来の分離式PTC電熱装置の構造を示す概念図。
【図３Ａ】図３は、本考案の実施例１の構造概念図。その中、図３Ａは、一組の放熱器と一体となった単一平板形の導風板を示す立体概念図。
【図３Ｂ】図３Ｂは、図３Ａの端面の概念図。
【図３Ｃ】図３Ｃは、一組の放熱器と一体となった複数平板形の導風板を示す立体概念図。
【図３Ｄ】図３Ｄは、図３Ｃの端面の概念図。
【図３Ｅ】図３Ｅは、一組の放熱器と一体となった複数平板形の導風板に関するもう一つの立体概念図。
【図３Ｆ】図３Ｆは、一組の放熱器と一体となった単一V形の導風板を示す立体概念図。
【図４Ａ】図4は、本考案の実施例2の構造概念図。その中、図４Ａは、複数組の放熱器と一体となった単一平板形の導風板を示す立体概念図。
【図４Ｂ】図４Ｂは、複数組の放熱器と一体となった複数平板形の導風板を示す立体概念図。
【図４Ｃ】図４Ｃは、複数組の放熱器と一体となった単一V形の導風板を示す立体概念図。
【図４Ｄ】図４Ｄは、複数組の放熱器と一体となった複数V形の導風板を示す立体概念図。
【図５Ａ】図５は、本考案の実施例3の構造概念図。その中、図５Ａは、一組の放熱器と分離式の単一V形の導風板を示す立体概念図。
【図５Ｂ】図５Ｂは、複数組の放熱器と分離式の単一V形の導風板を示す立体概念図。
【図５Ｃ】図５Ｃは、複数組の放熱器と分離式の複数平板形の導風板を示す立体概念図。
【図６】図６は、本考案のPTC発熱モジュールの熱風のカバーする面積を示す概念図。
【図１】
0003128289.tif 000003
【図２】
0003128289.tif 000004
【図３Ａ】
0003128289.tif 000005
【図３Ｂ】
0003128289.tif 000006
【図３Ｃ】
0003128289.tif 000007
【図３Ｄ】
0003128289.tif 000008
【図３Ｅ】
0003128289.tif 000009
【図３Ｆ】
0003128289.tif 000010
【図４Ａ】
0003128289.tif 000011
【図４Ｂ】
0003128289.tif 000012
【図４Ｃ】
0003128289.tif 000013
【図４Ｄ】
0003128289.tif 000014
【図５Ａ】
0003128289.tif 000015
【図５Ｂ】
0003128289.tif 000016
【図５Ｃ】
0003128289.tif 000017
【図６】
0003128289.tif 000018
【手続補正書】
【提出日】平成18年10月19日(2006.10.19)
【手続補正１】
【補正対象書類名】実用新案登録請求の範囲
【補正対象項目名】請求項１
【補正方法】変更
【補正の内容】
【請求項１】
少なくとも一つのPTC発熱体（１０）と各PTC発熱体の両側に設けられた一組の放熱器（２０）を含み、また、上記PTC発熱体（１０）の少なくとも一側の放熱器（２０）の風吹出し側に、放熱片から吹き出された熱風を外側に誘導する導風板（３０）を少なくとも一つ設けることを特徴とする導風板（３０）を有するPTC発熱モジュール。